(57)【要約】【課題】ランプを効率よく冷却できコストダウンおよび小型化を図る上で有利なプロジェクションユニットおよびリアプロジェクションテレビジョン装置を提供する。【解決手段】光源部２０は、ランプ３２と、ランプカバー３３と、不図示の電源部などを含んで構成されている。ランプ３２は、発光管３４、反射鏡３６、筒状部材３８などを含んで構成されている。筒状部材３８は発光管３４から出射される光束の光路を形成するものである。筒状部材３８は遮光機能と共に放熱を行う機能も有している。筒状部材３８がランプカバー３３の内側に保持された状態で筒状部材３８はランプカバー３３に形成された冷却用開口４２２０を介して外方に露出されている。冷却風をランプカバー３３に向けて送風すると、前記冷却風が冷却用開口４２２０を介して筒状部材３８の外面に直接当たる。【選択図】図３
2008152970.tif 000002
【特許請求の範囲】
【請求項１】
光源部を有するプロジェクタユニットであって、
前記光源部は、ランプとランプカバーとを有し、
前記ランプは、
電源が供給されることで発光する発光管と、
前記発光管を収容し前部が前方に開放された反射鏡と、
前記反射鏡の前部に取着されて前記発光管から出射される光束の光路を形成する金属製の筒状部材とを含んで構成され、
前記ランプカバーはその内側で前記ランプを保持しており、
前記ランプカバーに、前記筒状部材の冷却用開口が複数形成されている、
ことを特徴とするプロジェクタユニット。
【請求項２】
前記筒状部材は、
熱伝導率の大きな金属材料で形成されている、
ことを特徴とする請求項１記載のプロジェクタユニット。
【請求項３】
前記筒状部材は、アルミで形成され、
前記アルミはアルマイト処理が施されている、
ことを特徴とする請求項１記載のプロジェクタユニット。
【請求項４】
前記筒状部材は、アルミで形成され、
前記アルミはアルマイト処理が施され、
前記筒状部材の内周面および外周面には、前記アルマイト処理により微細な凹凸が形成されている、
ことを特徴とする請求項１記載のプロジェクタユニット。
【請求項５】
前記筒状部材は、アルミで形成され、
前記アルミは黒色アルマイト処理が施されている、
ことを特徴とする請求項１記載のプロジェクタユニット。
【請求項６】
前記ランプカバーは、
前記反射鏡の周囲を覆う合成樹脂製の後部ランプカバーと、
前記後部ランプカバーに着脱可能に結合され前記筒状部材の周囲を覆う合成樹脂製の前部ランプカバーとを備え、
前記複数の冷却用開口は前記前部ランプカバーに設けられ、
前記後部ランプカバーに、前記反射鏡を冷却する複数の冷却用開口が形成されている、
ことを特徴とする請求項１記載のプロジェクタユニット。
【請求項７】
前記ランプカバーは、
前記反射鏡の周囲を覆う合成樹脂製の後部ランプカバーと、
前記後部ランプカバーに着脱可能に結合され前記後部ランプカバーと協働して前記ランプを保持し前記筒状部材の周囲を覆う合成樹脂製の前部ランプカバーとを備え、
前記複数の冷却用開口は前記前部ランプカバーに設けられ、
前記反射鏡の前部と前記筒状部材の後部とが当接され、
前記筒状部材の前部と前記前部ランプカバーの前部とが当接され、
前記前部ランプカバーの前部に、前記ランプから出射された光束を前方に導く開口が形成され、
前記開口は、透明な材料で形成されたカバーによって閉塞されている、
ことを特徴とする請求項１記載のプロジェクタユニット。
【請求項８】
前記前部ランプカバーは、前記後部ランプカバーの前部に結合される矩形枠状の矩形枠部と、前記矩形枠部の四隅からそれぞれ前方に突出する４つの脚部と、それら４つの脚部の前部に設けられた前記カバーの取り付け部とを備え、
前記矩形枠部と前記取り付け部との間で隣り合う前記脚部の間は、それぞれ前記冷却用開口となっている、
ことを特徴とする請求項７記載のプロジェクタユニット。
【請求項９】
前記前部ランプカバーの前記開口を閉塞する前記カバーは、前記ランプから出射された光束を集束するパワーを有するレンズを構成している
ことを特徴とする請求項７記載のプロジェクタユニット。
【請求項１０】
前記プロジェクタユニットは、前記光源部から出射された光束から画像投影光束を生成して出射する本体部を有し、
前記ランプカバーは、
前記反射鏡の周囲を覆う合成樹脂製の後部ランプカバーと、
前記後部ランプカバーに着脱可能に結合され前記筒状部材の周囲を覆う合成樹脂製の前部ランプカバーとを備え、
前記複数の冷却用開口は前記前部ランプカバーに設けられ、
前記前部ランプカバーに、前記本体部に対して位置決めを行うための位置決め部が設けられている、
ことを特徴とする請求項１記載のプロジェクタユニット。
【請求項１１】
プロジェクタユニットから出射された画像投影光束をスクリーンの背面に照射するプロジェクションテレビジョン装置であって、
前記プロジェクタユニットは光源部を備え、
前記光源部は、ランプとランプカバーとを有し、
前記ランプは、
電源が供給されることで発光する発光管と、
前記発光管を収容し前部が前方に開放された反射鏡と、
前記反射鏡の前部に取着されて前記発光管から出射される光束の光路を形成する金属製の筒状部材とを含んで構成され、
前記ランプカバーはその内側で前記ランプを保持しており、
前記ランプカバーに、前記筒状部材の冷却用開口が複数形成されている、
ことを特徴とするプロジェクションテレビジョン装置。
【請求項１２】
前記ランプカバーは、
前記反射鏡の周囲を覆う合成樹脂製の後部ランプカバーと、
前記後部ランプカバーに着脱可能に結合され前記筒状部材の周囲を覆う合成樹脂製の前部ランプカバーとを備え、
前記複数の冷却用開口は前記前部ランプカバーに設けられ、
前記後部ランプカバーに、前記反射鏡を冷却する複数の冷却用開口が形成されている、
ことを特徴とする請求項１１記載のプロジェクションテレビジョン装置。
【発明の詳細な説明】
【技術分野】
【０００１】
本発明はプロジェクションユニットおよびリアプロジェクションテレビジョン装置に関する。
【背景技術】
【０００２】
プロジェクションユニットによって生成された画像投影光束を背面投影型スクリーンの背面へ投影することにより画像を形成するリアプロジェクションテレビジョン装置が提供されている。前記プロジェクションユニットの光源部は、ランプと、ランプを保持するランプカバーとを有している（特許文献１参照）。
【特許文献１】特開２００６−８４５８８号後公報
【発明の開示】
【発明が解決しようとする課題】
【０００３】
ところで、この種のプロジェクションユニットの光源部では、鮮明な画像を得るために、より高出力なランプが用いられる傾向にあり、そのためランプが高温となりがちである。
そのため、ランプに冷却風を当てて冷却するためのファンを増設する必要があり、コストダウンおよび小型化を図る上で不利があった。
本発明は、このような事情に鑑みなされたもので、その目的は、ランプを効率よく冷却できコストダウンおよび小型化を図る上で有利なプロジェクションユニットおよびリアプロジェクションテレビジョン装置を提供することにある。
【課題を解決するための手段】
【０００４】
上記目的を達成するために、本発明は、光源部を有するプロジェクタユニットであって、前記光源部は、ランプとランプカバーとを有し、前記ランプは、電源が供給されることで発光する発光管と、前記発光管を収容し前部が前方に開放された反射鏡と、前記反射鏡の前部に取着されて前記発光管から出射される光束の光路を形成する金属製の筒状部材とを含んで構成され、前記ランプカバーはその内側で前記ランプを保持しており、前記ランプカバーに、前記筒状部材の冷却用開口が複数形成されていることを特徴とする。
また本発明は、プロジェクタユニットから出射された画像投影光束をスクリーンの背面に照射するプロジェクションテレビジョン装置であって、前記プロジェクタユニットは光源部を備え、前記光源部は、ランプとランプカバーとを有し、前記ランプは、電源が供給されることで発光する発光管と、前記発光管を収容し前部が前方に開放された反射鏡と、前記反射鏡の前部に取着されて前記発光管から出射される光束の光路を形成する金属製の筒状部材とを含んで構成され、前記ランプカバーはその内側で前記ランプを保持しており、前記ランプカバーに、前記筒状部材の冷却用開口が複数形成されていることを特徴とする。
【発明の効果】
【０００５】
本発明によれば、金属製の筒状部材がランプカバーの内側に保持された状態で筒状部材はランプカバーに形成された冷却用開口を介して外方に露出されている。
したがって、冷却風をランプカバーに向けて送風すると、冷却風が冷却用開口を介して筒状部材の外面に直接当たるため、筒状部材が効率よく冷却され、筒状部材が冷却されることにより、筒状部材の内側の空間において空気の対流が発生し、この空気の対流によって発光管および反射鏡が効率よく冷却される。
【発明を実施するための最良の形態】
【０００６】
以下、本発明によるリアプロジェクションテレビジョン装置の実施の形態を図面に基づいて詳細に説明する。
図１は本実施の形態のリアプロジェクションテレビジョン装置の構成を示す構成図である。
まず、リアプロジェクションテレビジョン装置２の概略構成について説明する。
図１に示すように、リアプロジェクションテレビジョン装置２は、外装を構成する筐体４を備え、この筐体４に、プロジェクタユニット１０と、反射ミラー１２と、背面投影型のスクリーン１４と、スピーカー１６と、電装部１８などが設けられている。
プロジェクタユニット１０は画像投影光束を出射するものである。
反射ミラー１２は反射面１２Ａを有し、プロジェクタユニット１０の上方かつスクリーン１４の後方に配置され、反射面１２Ａによってプロジェクタユニット１０から出射された画像投影光束をスクリーン１４の背面に向けて反射するものである。
スクリーン１４は、反射ミラー１２によって反射された画像投影光束が背面に投射されることで前面にテレビジョン画像が表示されるものである。
スクリーン１４は、例えば、映像源側に配置されるフレネルレンズと、このフレネルレンズの後段に配置されるレンチキュラースクリーンによって構成される。また、これに加えて外光によるコントラスト劣化の減少、および、レンチキュラースクリーンの保護を目的とする別のスクリーンを設置してもよい。
スピーカー１６は、筐体４に組み込まれ、筐体４に設けられた開口を介して音声を放音するように設けられている。
【０００７】
プロジェクタユニット１０は、後述する光源部２０と、光源部２０から出射された光束から前記画像投影光束を生成して出射する本体部３０を含んで構成されている。
本体部３０は、照明光学部２２、分離部２４、画像形成部２６、投射部２８などを備えている。
【０００８】
照明光学部２２は、光源部２０から出射された光を平行光として分離部２４に導くものである。
照明光学部２２は、例えば、紫外線や赤外線をカットする光学フィルター、フライアイレンズ、コンデンサレンズなどを含んで構成されている。
分離部２４は、照明光学部２２から導かれた光束（白色光）を赤色、緑色、青色の３色の光束に分離するものである。
分離部２４は、例えば、複数のダイクロイックミラーなどを含んで構成されている。
【０００９】
画像形成部２６は、３つの画像表示部と、合成部とを含んで構成されている。
前記３つの画像表示部は、後述する電装部１８の映像信号処理部１８Ｂから映像信号が供給されることにより画像情報を表示するものである。
すなわち、３つの画像表示部は、例えば、赤色、緑色、青色の３色の画像情報をそれぞれ表示する３つの透過型の液晶表示装置で構成され、分離部２４から導かれた各色の光束が各液晶表示装置を透過することにより前記画像情報で変調された光束を出射するように構成されている。
なお、前記画像表示部は透過型の液晶表示装置のほか、反射型の液晶表示装置を用いてもよく、従来公知のさまざまな画像表示装置を用いることができる。また、前記画像表示部は、前記の液晶表示装置を用いたものに限定されず、従来公知の様々な方式のものが採用可能である。
また、前記合成部は、各液晶表示装置から出射された前記変調された光束を合成して１つの画像投影光束を生成し投射部２８に導くものであり、例えば、クロスダイクロイックプリズムで構成されている。
【００１０】
投射部２８は、画像形成部２６から導かれた前記画像投影光束を入射して反射ミラー１２に照射するものである。
投射部２８は、例えば、前記画像投影光束を入射する入射レンズと、前記入射レンズから出射された前記画像投影光束を反射して進行方向を変換するミラーと、前記ミラーによって導かれた前記画像投影光束を反射ミラー１２に投射する投射レンズなどを含んで構成されている。
【００１１】
電装部１８は、受信部１８Ａ、映像信号処理部１８Ｂ、音声信号処理部１８Ｃ、制御部１８Ｄ、操作部１８Ｅなどを含んで構成されている。
受信部１８Ａは、制御部１８Ｄからの指令に基づいて選局を行い、アンテナから受信したテレビジョン信号を復調して映像信号と音声信号に分離して出力する。
映像信号処理部１８Ｂは、前記映像信号に対して必要な信号処理を行い、赤、緑、青の３色の画像情報を生成し、これら各画像情報に対応する映像信号（駆動信号）を前記３つ画像表示装置にそれぞれ供給する。
音声信号処理部１８Ｃは、前記音声信号に対して必要な信号処理および増幅処理を行なってオーディオ信号を生成しスピーカー１６に供給する。これによりスピーカー１６から音声が発生される。
操作部１８Ｅは、リアプロジェクションテレビジョン装置２による放送の視聴にまつわる種々の操作や設定を行うためのものであり、例えば、選局スイッチ、音量調整スイッチ、入力切り換えスイッチなどを含んでいる。
【００１２】
制御部１８Ｄは、操作部１８Ｅの操作に基づいて、受信部１８Ａ、映像信号処理部１８Ｂ、音声信号処理部１８Ｃの制御を行う。
また、図示しないが、ＤＶＤプレーヤーやビデオデッキなどの外部装置から供給される映像信号および音声信号を入力するための外部入力端子と、これら外部入力端子に供給された映像信号および音声信号を映像信号処理部１８Ｂおよび音声信号処理部１８Ｃに切り換えて入力する入力切り換え回路が設けられている。
操作部１８Ｅの操作により前記外部入力端子に供給される映像信号および音声信号が前記入力切り換え回路を介して映像信号処理部１８Ｂおよび音声信号処理部１８Ｃに供給されるようになっている。
【００１３】
次に、光源部２０について詳細に説明する。
図２は光源部２０の分解斜視図、図３は光源部２０を破断した斜視図である。
図４は筒状部材３８の平面図、図５（Ａ）は図４のＡ矢視図、（Ｂ）は図４のＢＢ線断面図である。
図６は前部ランプカバー４２の平面図、図７（Ａ）は図６のＡ矢視図、（Ｂ）は図６のＢＢ線断面図である。
図１に示すように、光源部２０から出射された光は、上述のように画像投影光束を生成して出射する本体部３０に導かれ、光源部２０は、図２、図３に示すように、ランプ３２と、ランプカバー３３と、不図示の電源部などを含んで構成されている。
ランプ３２は、前記電源部から供給される電源によって駆動され光を出射するものであり、このようなランプ３２として、例えば、白色光を出射するウルトラハイプレッシャーランプなどの従来公知のさまざまなランプが用いられる。
ランプ３２は、発光管３４、反射鏡３６、筒状部材３８などを含んで構成されている。
【００１４】
発光管３４は、前記電源部から供給される電源によって駆動され光を出射するものである。
発光管３４は、例えば、石英で構成され、その内部に発光物質を構成するガスが封入され、前記発光物質を発光させるための電極が設けられている。
反射鏡３６は、発光管３４から発光された光を前方に向けて照射するものであり、図２、図３に示すように、反射鏡３６は、発光管３４を収容し前部が前方に開放状の放物面で形成されている。したがって、本実施の形態では、反射鏡３６の前端は、開放された開口３６０２となっている。
図２に示すように、反射鏡３６の前端に、開口３６０２の周囲を延在するフランジ３６０４が設けられている。このフランジ３６０４の周方向に間隔をおいて位置決め用の凸部３６０６が形成されている。
反射鏡３６は、例えば、硬質ガラスの内面に金属製の反射膜が形成されることで構成され、このような反射鏡３６の構成には、従来公知のさまざまな構造が採用可能である。
【００１５】
筒状部材３８は、反射鏡３６の前部に取着されて発光管３４から出射される光のうち、本体部３０に向かう方向から外れた方向に進行する光を遮蔽するものであり、言い換えると、筒状部材３８は、発光管３４から出射される光束の光路を形成するものである。
また、筒状部材３８は、このような遮光機能と共に放熱を行う機能も有している。
さらに、筒状部材３８は、後述するようにランプ３２の内部への塵埃の侵入を防止する防塵の機能も有している。
筒状部材３８は、図４、図５（Ａ）、（Ｂ）に示すように、反射鏡３６の前端の開口３６０２に対応した大きさの内径を有する筒部３８０２と、筒部３８０２の後端に設けられ筒部３８０２の径方向の外側で周方向に延在する後部フランジ３８０４と、筒部３８０２の前端に設けられ筒部３８０２の径方向の内側で周方向に環板状に延在する前部フランジ３８０６と、前部フランジ３８０６の内周から前方に起立された起立部３８０８とを有している。
前部フランジ３８０６の内側に開口３８１０が位置しており、したがって、筒状部材３８の前端に開口３８１０が位置している。
また、後部フランジ３８０４にはその延在方向に間隔をおいて位置決め用の欠部３８１２が形成されている。
【００１６】
筒状部材３８は、例えば、金属材料を用いて絞り加工により成形が可能である。
筒状部材３８は、本実施の形態では、放熱性を高めるため、例えば、アルミなどのような熱伝導率の大きな金属材料で形成されている。
この場合、アルミにアルマイト処理を施すと、放熱性を高める上で有利となる。
さらに、アルマイト処理により筒部３８０２に微細な凹凸を形成すると、放熱性を高める上でより一層有利となる。
また、筒部３８０２の内面に黒色アルマイト処理を施すと、発光管３４から出射された光が筒部３８０２の内面で反射して反射鏡３６に照射される反射量を抑制でき、したがって、反射鏡３６での発熱量、すなわち、ランプ３２での発熱量を低減する上で有利となる。
【００１７】
図２、図３に示すように、ランプカバー３３はその内側でランプ３２を保持するものである。
ランプカバー３３は、後部ランプカバー４０と前部ランプカバー４２とを含んで構成されている。
図２に示すように、後部ランプカバー４０は合成樹脂製で、反射鏡３６の周囲を覆う断面が矩形の筒状に形成され、前部が開放されており開口４００２となっている。
後部ランプカバー４０には、プロジェクタユニット１０が筐体４内に配置された際に冷却風を反射鏡３６に当てるための複数の冷却用開口４００４が形成されている。
後部ランプカバー４０の前端で開口４００２の周囲の複数箇所は、反射鏡３６のフランジ３６０４の四隅が当接される当接面４００６として形成されている。
また、後部ランプカバー４０の前端の開口４００２を挟んだ２箇所に、前方に突出する係止爪４００８が設けられている。
【００１８】
図２、図３に示すように、前部ランプカバー４２は、合成樹脂製で後部ランプカバー４０に着脱可能に結合され、筒状部材３８の周囲を覆うものである。
図２、図６、図７（Ａ），（Ｂ）に示すように、前部ランプカバー４２は、後部ランプカバー４０の前端に対応した形状の矩形枠部４２０２と、矩形枠部４２０２の複数箇所に形成された係止溝４２０３と、矩形枠部４２０２の四隅からそれぞれ前方に突出する４つの脚部４２０４と、それら４つの脚部４２０４の前部間に設けられたレンズ４４の取り付け部４２０６などを含んで構成されている。
矩形枠部４２０２と取り付け部４２０６との間でかつ隣り合う脚部４２０４の間は、それら脚部４２０４以外は何も存在しない冷却用開口４２２０となっている。
【００１９】
また、図２、図６、図７（Ａ），（Ｂ）に示すように、４つの脚部４２０４の前部は、本体部３０の位置決め用凹部３００２（図１参照）に対して係脱可能に結合し、本体部３０に対して光源部２０の位置決めを行う位置決め部４２３０として構成されている。ここで、本体部３０とは、光源部２０から出射された光束から画像投影光束を生成して出射するものであり、本体部３０は、上述のように照明光学部２２、分離部２４、画像形成部２６、投射部２８などで構成されている。
図２、図７（Ｂ）に示すように、矩形枠部４２０２の中央には、筒状部材３８が挿通される開口４２０７が形成されている。
図２、図６、図７（Ｂ）に示すように、取り付け部４２０６は、筒部４２０８と、筒部４２０８の後端の内周に設けられた内側環板部４２１０と、筒部４２０８の後端の外周に設けられた外側環板部４２１１と、筒部４２０８の周方向に間隔をおいた複数箇所で筒部４２０８の外周面に設けられたボス部４２１２とを有している。
そして、内側環板部４２１０の内側が、ランプ３２から出射された光束を前方に導く開口４２１４となっている。すなわち、開口４２１４は前部ランプカバー４２の前部に設けられている。
【００２０】
図２に示すように、レンズ４４は、筒部４２０８に挿入され、レンズ４４の端面外周が内側環板部４２１０に当接され、押さえ板４６のねじ挿通孔４６０２を挿通するねじがボス部４２１２に締結されることで、押さえ板４６と内側環板部４２１０とによりその厚さ方向に挟持され、前部ランプカバー４２に取り付けられている。
したがって、このレンズ４４により、前部ランプカバー４２の開口４２１４が閉塞され、開口４２１４からランプ３２の内部への塵埃の侵入の防止が図られている。
本実施の形態では、レンズ４４は、ランプ３２から出射された光束を集束するパワーを有している。
なお、上述の押さえ板４６によるレンズ４４の取り付け部４２０６への取り付けは、前部ランプカバー４２と後部ランプカバー４０とを結合させる前に行ってもよく、あるいは、結合させた後に行ってもよい。
【００２１】
光源部２０の組み立ては次のように行われる。
まず、図２に示すように、反射鏡３６の位置決め用の凸部３６０６が筒状部材３８の位置決め用の欠部３８１２に嵌合した状態で、後部フランジ３８０４と反射鏡３６のフランジ３６０４が当接される。
筒状部材３８の配設は、図２に示すように、位置決め用の凸部３６０６が位置決め用の欠部３８１２に嵌合した状態で、後部フランジ３８０４を反射鏡３６のフランジ３６０４に押し付け、この状態で、前部ランプカバー４２の矩形枠部４２０２の開口４２０７に筒状部材３８が挿通され、係止爪４００８が係止溝４２０３に係止することで前部ランプカバー４２と後部ランプカバー４０が結合される。
この結合状態で、筒状部材３８の後縁と反射鏡３６の前縁とが当接され、それらの合わせ部からランプ３２の内部への塵埃の侵入の防止が図られている。
すなわち、この結合状態で、筒状部材３８の後部フランジ３８０４と反射鏡３６のフランジ３６０４が前部ランプカバー４２の矩形枠部４２０２と後部ランプカバー４０の当接面４００６との間に挟持され、言い換えると、反射鏡３６と筒状部材３８とが、前部ランプカバー４２と後部ランプカバー４０との合わせ部により保持される。
また、この結合状態で、取り付け部４２０６の外側環板部４２１１が筒状部材３８の前部フランジ３８０６に押し付けられた状態に保持される。これにより筒状部材３８の前部と前部ランプカバー４２の前部とが当接され、それらの合わせ部からランプ３２の内部への塵埃の侵入の防止が図られている。
なお、ランプカバー３３によるランプ３２の保持構造は種々考えられ、実施の形態の構造に限定されない。
【００２２】
次に作用について説明する。
本実施の形態によれば、金属製の筒状部材３８がランプカバー３３の内側に保持された状態で筒状部材３８はランプカバー３３に形成された冷却用開口４２２０を介して外方に露出されている。
したがって、ランプ３２が動作して光を出射している状態で、ファンなどを用いて冷却風をランプカバー３３に向けて送風すると、従来と同様に冷却風が冷却用開口４００４を介して反射鏡３６の外面に直接当たるため反射鏡３６が効率よく冷却されることは無論のこと、冷却風が冷却用開口４２２０を介して金属製の筒状部材３８の外面に直接当たるため、筒状部材３８がより一層効率よく冷却される。
そして、筒状部材３８が冷却されることにより、筒状部材３８の内側の空間において空気の対流が発生し、この空気の対流によって発光管３４および反射鏡３６が効率よく冷却される。
したがって、ランプ３２を効率よく冷却することができるため、ランプ３２の耐久性を向上させる上で有利となることは無論のこと、ランプ３２が高出力化し発生する熱が多くなっても冷却風を発生させるファンの数を増加させる必要が無く、コストの抑制を図る上で、また、小型化を図る上で有利となる。
【００２３】
また、本実施の形態では、反射鏡３６の前端の開口３６０２が筒状部材３８、前部ランプカバー４２、レンズ４４によって閉塞されている。
そのため、冷却風が筒状部材３８、前部ランプカバー４２、レンズ４４の周囲に流れた場合、冷却風に含まれる塵埃が発光管３４や反射鏡３６に付着することを確実に防止できる。
したがって、光源部２０から出射される光の強度（光量）を一定に保持できるので、本体部３０によってスクリーン１４に投射されて形成される画像の品質を確保する上で有利となる。
【００２４】
なお、本実施の形態では、前部ランプカバー４２の開口４２１４をレンズ４４により気密に閉塞したが、レンズ４４に代えて透明な材料で形成されたカバーを用いて前部ランプカバー４２の開口４２１４を閉塞してもよい。
また、本実施の形態では、プロジェクタユニット１０がプロジェクションテレビジョン装置２に組み込まれた場合について説明したが、プロジェクタユニット１０はこれに限定されるものではなく、例えば、ビジネス用プロジェクタやホール／シアター用プロジェクタなど様々な装置に採用可能である。
【図面の簡単な説明】
【００２５】
【図１】本実施の形態のリアプロジェクションテレビジョン装置の構成を示す構成図である。
【図２】光源部２０の分解斜視図である。
【図３】光源部２０を破断した斜視図である。
【図４】筒状部材３８の平面図である。
【図５】（Ａ）は図４のＡ矢視図、（Ｂ）は図４のＢＢ線断面図である。
【図６】前部ランプカバー４２の平面図である。
【図７】（Ａ）は図６のＡ矢視図、（Ｂ）は図６のＢＢ線断面図である。
【符号の説明】
【００２６】
２……リアプロジェクションテレビジョン装置、１０……プロジェクタユニット、２０……光源部、３２……ランプ、３３……ランプカバー、３４……発光管、３６……反射鏡、３８……筒状部材、４２２０……冷却用開口。
【図１】
2008152970.tif 000003
【図２】
2008152970.tif 000004
【図３】
2008152970.tif 000005
【図４】
2008152970.tif 000006
【図５】
2008152970.tif 000007
【図６】
2008152970.tif 000008
【図７】
2008152970.tif 000009